(57)【要約】【課題】オペレータの存在を前提とせずに輝度又は色調を補正し、色空間情報を生成することができる表示装置、表示システム、コンピュータプログラム、記録媒体及び補正方法を提供する。【解決手段】制御部１０は、判定部１３でオペレータ不在条件が充足されたと判定した場合、キャリブレーションを実施する。キャリブレーションは、輝度、白色点（ゲイン）、ガンマ（階調）、原色点（赤、青、緑の各色）等の全部又は一部に対して行われる。制御部１０は、キャリブレーションによる補正量２２を記憶部２０に記憶し、補正後（キャリブレーション後）の輝度や色調を、光学センサ４４を用いて測定し、測定した最終測定結果を補正後測定値２３として記憶部２０に記憶する。キャリブレーション実行後、あるいは判定部１３でオペレータ在席条件が充足されたと判定した場合、プロファイル生成部２０５で色空間情報を生成する。【選択図】図１
2010250060.tif 000002
【特許請求の範囲】
【請求項１】
表示部と、該表示部の輝度又は色調を補正する補正手段とを備える表示装置において、
前記表示部の輝度又は色調を測定する測定手段と、
該測定手段で測定した測定値と所定の目標値との差分を算出する差分算出手段と、
該差分算出手段で算出した差分に基づいて前記表示部の輝度又は色調を補正するための補正量を算出する補正量算出手段と、
所定の第１条件の成否を判定する判定手段と
を備え、
前記補正手段は、
前記判定手段で前記第１条件が成立すると判定した場合、前記補正量算出手段で算出した補正量を用いて輝度又は色調を補正するようにしてあり、
前記補正手段で補正した後に前記測定手段で測定した輝度又は色調の補正後測定値を記憶する記憶手段を備えることを特徴とする表示装置。
【請求項２】
前記記憶手段に記憶した補正後測定値に基づいて色空間情報を生成する生成手段を備えることを特徴とする請求項１に記載の表示装置。
【請求項３】
任意の色空間情報から前記目標値を算出する目標値算出手段を備えることを特徴とする請求項２に記載の表示装置。
【請求項４】
前記記憶手段に記憶した補正後測定値を外部へ出力する出力手段を備えることを特徴とする請求項１乃至請求項３のいずれか１項に記載の表示装置。
【請求項５】
前記生成手段で生成した色空間情報を外部へ出力する出力手段を備えることを特徴とする請求項２又は請求項３に記載の表示装置。
【請求項６】
前記判定手段は、
前記第１条件とは異なる第２条件の成否を判定するように構成してあり、
前記出力手段は、
前記判定手段で前記第２条件が成立すると判定した場合、前記補正後測定値又は色空間情報を外部へ出力するように構成してあることを特徴とする請求項４又は請求項５に記載の表示装置。
【請求項７】
人感センサを備え、
前記判定手段は、
前記人感センサで人が感知されない場合、前記第１条件が成立すると判定し、前記人感センサで人が感知された場合、前記第２条件が成立すると判定するように構成してあることを特徴とする請求項６に記載の表示装置。
【請求項８】
外部からの所定信号を取得する取得手段を備え、
前記判定手段は、
前記取得手段で所定信号を取得しない場合、前記第１条件が成立すると判定し、前記取得手段で所定信号を取得した場合、前記第２条件が成立すると判定するように構成してあることを特徴とする請求項６に記載の表示装置。
【請求項９】
計時手段を備え、
前記判定手段は、
所定の第１時点の場合、前記第１条件が成立すると判定し、所定の第２時点の場合、前記第２条件が成立すると判定するように構成してあることを特徴とする請求項６に記載の表示装置。
【請求項１０】
請求項１乃至請求項９のいずれか１項に記載の表示装置と、該表示装置へ所定のデータを出力する出力装置とを備える表示システムにおいて、
前記表示装置は、
補正後測定値を前記出力装置へ出力する出力手段を備え、
前記出力装置は、
前記補正後測定値に基づいて色空間情報を生成する生成手段を備えることを特徴とする表示システム。
【請求項１１】
表示部と、該表示部の輝度又は色調を補正する補正手段とを備える表示装置の色空間情報を生成する生成手段として機能させるためのコンピュータプログラムであって、
コンピュータを、
所定の第２条件の成否を判定する判定手段と、
該判定手段で前記第２条件が成立すると判定した場合、前記補正手段で補正した後の表示部の輝度又は色調の補正後測定値に基づいて色空間情報を生成する生成手段と
して機能させることを特徴とするコンピュータプログラム。
【請求項１２】
コンピュータを、
任意の色空間情報から所定の目標値を算出する目標値算出手段として機能させることを特徴とする請求項１１に記載のコンピュータプログラム。
【請求項１３】
請求項１１又は請求項１２に記載のコンピュータプログラムを記録してあることを特徴とするコンピュータでの読み取りが可能な記録媒体。
【請求項１４】
表示部を備える表示装置の該表示部の輝度又は色調を補正する補正方法において、
所定の第１条件の成否を判定手段により判定し、
前記第１条件が成立すると判定された場合、前記表示部の輝度又は色調を測定手段により測定し、
測定した測定値と所定の目標値との差分を差分算出手段により算出し、
算出した差分に基づいて前記表示部の輝度又は色調を補正するための補正量を補正量算出手段により算出し、
算出した補正量を用いて輝度又は色調を補正手段で補正し、
前記補正手段で補正した後に前記測定手段で測定した輝度又は色調の補正後測定値を記憶手段に記憶することを特徴とする補正方法。
【請求項１５】
前記第１条件とは異なる第２条件の成否を前記判定手段により判定し、
前記第２条件が成立すると判定された場合、前記記憶手段に記憶した補正後測定値に基づいて色空間情報を生成手段により生成することを特徴とする請求項１４に記載の補正方法。
【請求項１６】
前記第１条件とは異なる第２条件の成否を前記判定手段により判定し、
前記第２条件が成立すると判定された場合、前記記憶手段に記憶した補正後測定値を出力することを特徴とする請求項１４に記載の補正方法。
【発明の詳細な説明】
【技術分野】
【０００１】
本発明は、輝度又は色調を補正し、色空間情報を生成することができる表示装置、表示システム、該表示装置のための色空間情報の生成を実現するためのコンピュータプログラム、該コンピュータプログラムを記録したコンピュータでの読み取りが可能な記録媒体及び前記表示装置による補正方法に関する。
【背景技術】
【０００２】
印刷業界やデザイン業界などでは、液晶パネル等のモニタを備えた表示装置を用いて種々の作業が行われている。しかし、オペレータは、それぞれ固有のデバイス（例えば、表示装置等のモニタ、プリンタなど）やアプリケーションソフトウェアなどを用いて種々の作業を行っているため、表示装置やアプリケーションソフトウェアで再現される画像の色が異なる場合がある。このため、異なるデバイスやアプリケーション間の色の再現性を考慮した色の管理（カラーマネジメント）が重要になっている。
【０００３】
また、表示装置で画像を見る場合、モニタの輝度や色調がその都度異なると、同じ画像でありながら、見る都度異なった画像のように見えることがある。このため、カラーマネジメントにおいては、定期的にモニタの輝度や色調を調整すべくキャリブレーションを行うことも重要である。
【０００４】
例えば、従来、表示装置（モニタ）のキャリブレーションを行う場合、表示装置に接続されたパーソナルコンピュータ（ＰＣ）でキャリブレーション用のアプリケーションソフトウェアを起動し、輝度や色調などの目標値を決定した後、キャリブレーションの実行を開始し、モニタを調整する方法が用いられていた。
【０００５】
また、調整点数の多い被調整回路に対し、外部調整ループにより予め設定した特性を得るべく１次制御データを作成し、その後、内部調整ループにより１次制御データを修正する電子機器の自動調整回路が開示されている。これは、キャリブレーションを行う場合、オペレータが、外部センサによる外部調整後は、内部センサで液晶パネルの出力特性を検出し、内部基準データと検出結果の誤差に応じて制御データの微調整を行うものである（例えば、特許文献１）。
【先行技術文献】
【特許文献】
【０００６】
【特許文献１】特開平５−８３６６０号公報
【発明の概要】
【発明が解決しようとする課題】
【０００７】
しかしながら、従来の方法や特許文献１の方法にあっては、キャリブレーションが行われている間、オペレータが傍で調整作業を行う必要があり、オペレータにとっては負担がかかるものであった。キャリブレーションにはモニタの調整にとどまらず、調整後の表示特性に適合した色空間情報の作成が必要であり、その間オペレータを拘束することになっていた。色空間情報とは、異なるデバイスやアプリケーション間の色の再現性を実現する、例えばＩＣＣプロファイルやＷＣＳプロファイルなどカラーマネジメントに用いられる情報を指す。
【０００８】
本発明は、斯かる事情に鑑みてなされたものであり、オペレータの存在を前提とせずに輝度又は色調を補正し、色空間情報を生成することができる表示装置、表示システム、該表示装置のための色空間情報の生成を実現するコンピュータプログラム、該コンピュータプログラムを記録したコンピュータでの読み取りが可能な記録媒体及び前記表示装置による補正方法を提供することを目的とする。
【課題を解決するための手段】
【０００９】
第１発明に係る表示装置は、表示部と、該表示部の輝度又は色調を補正する補正手段とを備える表示装置において、前記表示部の輝度又は色調を測定する測定手段と、該測定手段で測定した測定値と所定の目標値との差分を算出する差分算出手段と、該差分算出手段で算出した差分に基づいて前記表示部の輝度又は色調を補正するための補正量を算出する補正量算出手段と、所定の第１条件の成否を判定する判定手段とを備え、前記補正手段は、前記判定手段で前記第１条件が成立すると判定した場合、前記補正量算出手段で算出した補正量を用いて輝度又は色調を補正するようにしてあり、前記補正手段で補正した後に前記測定手段で測定した輝度又は色調の補正後測定値を記憶する記憶手段を備えることを特徴とする。
【００１０】
第２発明に係る表示装置は、第１発明において、前記記憶手段に記憶した補正後測定値に基づいて色空間情報を生成する生成手段を備えることを特徴とする。
【００１１】
第３発明に係る表示装置は、第２発明において、任意の色空間情報から前記目標値を算出する目標値算出手段を備えることを特徴とする。
【００１２】
第４発明に係る表示装置は、第１発明乃至第３発明のいずれかにおいて、前記記憶手段に記憶した補正後測定値を外部へ出力する出力手段を備えることを特徴とする。
【００１３】
第５発明に係る表示装置は、第２発明又は第３発明において、前記生成手段で生成した色空間情報を外部へ出力する出力手段を備えることを特徴とする。
【００１４】
第６発明に係る表示装置は、第４発明又は第５発明において、前記判定手段は、前記第１条件とは異なる第２条件の成否を判定するように構成してあり、前記出力手段は、前記判定手段で前記第２条件が成立すると判定した場合、前記補正後測定値又は色空間情報を外部へ出力するように構成してあることを特徴とする。
【００１５】
第７発明に係る表示装置は、第６発明において、人感センサを備え、前記判定手段は、前記人感センサで人が感知されない場合、前記第１条件が成立すると判定し、前記人感センサで人が感知された場合、前記第２条件が成立すると判定するように構成してあることを特徴とする。
【００１６】
第８発明に係る表示装置は、第６発明において、外部からの所定信号を取得する取得手段を備え、前記判定手段は、前記取得手段で所定信号を取得しない場合、前記第１条件が成立すると判定し、前記取得手段で所定信号を取得した場合、前記第２条件が成立すると判定するように構成してあることを特徴とする。
【００１７】
第９発明に係る表示装置は、第６発明において、計時手段を備え、前記判定手段は、所定の第１時点の場合、前記第１条件が成立すると判定し、所定の第２時点の場合、前記第２条件が成立すると判定するように構成してあることを特徴とする。
【００１８】
第１０発明に係る表示システムは、前述の発明のいずれか１つに係る表示装置と、該表示装置へ所定のデータを出力する出力装置とを備える表示システムにおいて、前記表示装置は、補正後測定値を前記出力装置へ出力する出力手段を備え、前記出力装置は、前記補正後測定値に基づいて色空間情報を生成する生成手段を備えることを特徴とする。
【００１９】
第１１発明に係るコンピュータプログラムは、表示部と、該表示部の輝度又は色調を補正する補正手段とを備える表示装置の色空間情報を生成する生成手段として機能させるためのコンピュータプログラムであって、コンピュータを、所定の第２条件の成否を判定する判定手段と、該判定手段で前記第２条件が成立すると判定した場合、前記補正手段で補正した後の表示部の輝度又は色調の補正後測定値に基づいて色空間情報を生成する生成手段として機能させることを特徴とする。
【００２０】
第１２発明に係るコンピュータプログラムは、第１１発明において、コンピュータを、任意の色空間情報から所定の目標値を算出する目標値算出手段として機能させることを特徴とする。
【００２１】
第１３発明に係るコンピュータでの読み取りが可能な記録媒体は、前述の発明に係るコンピュータプログラムを記録してあることを特徴とする。
【００２２】
第１４発明に係る補正方法は、表示部を備える表示装置の該表示部の輝度又は色調を補正する補正方法において、所定の第１条件の成否を判定手段により判定し、前記第１条件が成立すると判定された場合、前記表示部の輝度又は色調を測定手段により測定し、測定した測定値と所定の目標値との差分を差分算出手段により算出し、算出した差分に基づいて前記表示部の輝度又は色調を補正するための補正量を補正量算出手段により算出し、算出した補正量を用いて輝度又は色調を補正手段で補正し、前記補正手段で補正した後に前記測定手段で測定した輝度又は色調の補正後測定値を記憶手段に記憶することを特徴とする。
【００２３】
第１５発明に係る補正方法は、第１４発明において、前記第１条件とは異なる第２条件の成否を前記判定手段により判定し、前記第２条件が成立すると判定された場合、前記記憶手段に記憶した補正後測定値に基づいて色空間情報を生成手段により生成することを特徴とする。
【００２４】
第１６発明に係る補正方法は、第１４発明において、前記第１条件とは異なる第２条件の成否を前記判定手段により判定し、前記第２条件が成立すると判定された場合、前記記憶手段に記憶した補正後測定値を出力することを特徴とする。
【００２５】
第１発明及び第１４発明にあっては、所定の第１条件の成否を判定手段により判定する。所定の第１条件は、オペレータが不在となる条件であり、輝度や色調の補正（キャリブレーション）の実施タイミングを示す実施条件とすることができる。第１条件が成立すると判定された場合、表示部（モニタ）の輝度又は色調を測定手段により測定する。色調は、例えば、白色点、黒レベル、原色点、色温度、ガンマ（階調）など色の再現性にとって重要な特性のことである。輝度や色調の測定値と所定の目標値との差分を差分算出手段により算出し、算出した差分に基づいて表示部の輝度又は色調を補正するための補正量を補正量算出手段により算出し、算出した補正量を用いて輝度又は色調を補正手段で補正する。オペレータが不在となる条件を判定することにより、オペレータがいないときに補正（キャリブレーション）を実施することができるので、オペレータの存在を前提としない補正（キャリブレーション）を実施することができ、オペレータの負担を軽減することが可能となる。そして、補正手段で補正した後に測定手段で測定した輝度又は色調の補正後測定値を記憶手段に記憶する。これにより、オペレータがいないときに、ＩＣＣプロファイルなどの色空間情報を生成するために必要なデータを予め取得しておくことができる。
【００２６】
第２発明、第１０発明、第１１発明及び第１５発明にあっては、記憶手段に記憶した補正後測定値に基づいて色空間情報を生成手段により生成する。色空間情報は、モニタなどの個々のデバイスが持つ色空間の情報であり、例えば、ＩＣＣ（International Color Consortium）規格のＩＣＣプロファイルである。これにより、オペレータが復帰するときは、オペレータがいないときに実施されたキャリブレーション後の測定値に基づいて色空間情報を生成することができる。
【００２７】
第３発明及び第１２発明にあっては、色空間情報から所定の目標値を算出する。所定の目標値は、輝度や色調などであり、色調は、例えば、白色点、黒レベル、原色点、色温度、ガンマ（階調）などの色の再現性にとって重要な特性である。色空間情報は、予め生成したものでもよく、既存の色空間情報により目標値を得ることができるので、オペレータが目標値を設定するための入力作業を行う必要がない。また、他の表示装置やシステムの色をエミュレーションして再現することが可能になる。また、色空間情報により得られた目標値に基づいて、常に表示装置（表示部）の状態を色空間情報に応じた状態に維持することができる。
【００２８】
第４発明及び第１６発明にあっては、記憶手段に記憶した補正後測定値を外部に出力する。これにより、ＩＣＣプロファイルなどの色空間情報を生成するために必要なデータを外部の装置やシステムで取得することができる。
【００２９】
第５発明にあっては、生成した色空間情報を外部に出力する。これにより、ＩＣＣプロファイルなどの色空間情報を外部の装置やシステムで取得することができる。
【００３０】
第６発明にあっては、第１条件とは異なる第２条件の成否を判定手段により判定する。第２条件は、例えば、オペレータが復帰する条件である。第２条件が成立すると判定した場合、記憶手段に記憶した補正後測定値を外部に出力する。あるいは、第２条件が成立すると判定した場合、生成した色空間情報を外部に出力する。これにより、オペレータが復帰するときは、オペレータがいないときに実施されたキャリブレーション後の補正後測定値や、補正後測定値により生成された色空間情報を取得することができる。
【００３１】
第７発明にあっては、人感センサを備える。判定手段は、人感センサで人が感知されない場合、第１条件が成立すると判定し、人感センサで人が感知された場合、第２条件が成立すると判定する。これにより、人が感知されない場合には、オペレータが不在であると判定することができ、人が感知された場合には、オペレータが復帰したと判定することができ、オペレータが不在の場合のキャリブレーションの実施やキャリブレーション後の測定値に保存を実現することができ、オペレータが復帰した場合に、キャリブレーション後のデータを用いたＩＣＣプロファイルの生成を実現することができる。
【００３２】
第８発明にあっては、外部（例えば、パーソナルコンピュータなど）からの所定信号を取得する取得手段を備える。所定信号は、例えば、パーソナルコンピュータが動作していることを示す信号である。判定手段は、所定信号を取得しない場合、第１条件が成立すると判定し、所定信号を取得した場合、第２条件が成立すると判定する。これにより、オペレータがパーソナルコンピュータを操作していないときは、オペレータが不在であると判定することができ、オペレータがパーソナルコンピュータを操作したときは、オペレータが復帰したと判定することができ、オペレータが不在の場合のキャリブレーションの実施やキャリブレーション後の測定値に保存を実現することができ、オペレータが復帰した場合に、キャリブレーション後のデータを用いたＩＣＣプロファイルの生成を実現することができる。
【００３３】
第９発明にあっては、計時手段を備える。そして、判定手段は、所定の第１時点（例えば、退社予定時刻や退室予定時刻など）の場合、第１条件が成立すると判定し、所定の第２時点（出社予定時刻や入室予定時刻など）の場合、第２条件が成立すると判定する。これにより、退社予定時刻や退室予定時刻には、オペレータが不在であると判定することができ、出社予定時刻や入室予定時刻には、オペレータが復帰したと判定することができ、オペレータが不在の場合のキャリブレーションの実施やキャリブレーション後の測定値に保存を実現することができ、オペレータが復帰した場合に、キャリブレーション後のデータを用いたＩＣＣプロファイルの生成を実現することができる。
【００３４】
第１３発明にあっては、コンピュータでの読み取りが可能な記録媒体を提供することができる。
【発明の効果】
【００３５】
本発明によれば、オペレータの存在を前提としない補正（キャリブレーション）を実施し、色空間情報を生成することができ、オペレータの負担を軽減することが可能となる。
【図面の簡単な説明】
【００３６】
【図１】本発明に係る表示システムの構成の一例を示すブロック図である。
【図２】オペレータの不在条件と復帰条件の一例を示す説明図である。
【図３】ＰＣの処理手順を示すフローチャートである。
【図４】表示装置の処理手順を示すフローチャートである。
【図５】キャリブレーションの処理手順を示すフローチャートである。
【図６】実施の形態２の表示システムの構成の一例を示すブロック図である。
【図７】実施の形態２の表示装置の処理手順を示すフローチャートである。
【図８】実施の形態３の表示システムの構成の一例を示すブロック図である。
【図９】実施の形態３の表示装置の処理手順を示すフローチャートである。
【図１０】実施の形態３のＰＣの処理手順を示すフローチャートである。
【図１１】実施の形態４の表示システムの構成の一例を示すブロック図である。
【図１２】ＩＣＣプロファイルの一例を示す説明図である。
【図１３】Ｄ５０を白色点としたときの規格化された三刺激値の一例を示す説明図である。
【図１４】ｃｈａｄタグに示されている行列の一例を示す説明図である。
【図１５】ｗｔｐｔタグにある三刺激値を白色点とする規格化された三刺激値の一例を示す説明図である。
【図１６】目標値算出の処理手順を示すフローチャートである。
【発明を実施するための形態】
【００３７】
実施の形態１
以下、本発明を実施の形態を示す図面に基づいて説明する。図１は本発明に係る表示システムの構成の一例を示すブロック図である。表示システムは、表示装置１００、外部の出力装置としてのパーソナルコンピュータ（ＰＣ）２００などを備え、表示装置１００とＰＣ２００とは、所定のインタフェースケーブルで接続してある。
【００３８】
表示装置１００は、計時手段、外部からの所定信号を取得する取得手段としての制御部１０、記憶部２０、色調を補正する補正手段としての補正部３０、パネル駆動部４０、表示部としての液晶パネル４１及びバックライト４３、バックライト駆動部４２、輝度又は色調の測定手段としての光学センサ４４、周囲に人がいるか否かを感知するための人感センサ４６などを備えている。なお、色調は、例えば、白色点、黒レベル、原色点、色温度、ガンマ（階調）などの色の再現性にとって重要な特性である。
【００３９】
制御部１０は、測定値と所定の目標値との差分を算出する差分算出部１１、差分に基づいて液晶パネル４１の色調を補正するための補正量を算出する補正量算出部１２、所定の第１条件や第２条件の成否を判定する判定部１３などを備えている。
【００４０】
記憶部２０は、補正（キャリブレーション）の目標値２１、補正量算出部１２で算出した補正量２２、キャリブレーション後に光学センサ４４で測定した補正後測定値２３などを記憶する。補正後測定値２３は、例えば、白、黒、原色（赤、緑、青）それぞれの三刺激値（Ｘ、Ｙ、Ｚ）などである。
【００４１】
補正部３０は、前段ＬＵＴ（ルックアップ・テーブル）３１、色空間変換部３２、後段ＬＵＴ（ルックアップ・テーブル）３３などを備えている。
【００４２】
ＰＣ２００は、ＣＰＵ２０１、操作部２０２、記憶部２０３、インタフェース部２０４、補正後測定値２３に基づいて色空間情報を生成する生成手段としてのプロファイル生成部２０５などを備えている。色空間情報は、モニタなどの個々のデバイスが持つ色空間の情報であり、例えば、ＩＣＣ（International Color Consortium）規格のＩＣＣプロファイルである。なお、生成する色空間情報は、ＩＣＣプロファイルに限定されるものではなく、ＷＣＳプロファイルなど他の形式の色空間情報であってもよい。
【００４３】
ＰＣ２００は、インタフェース部２０４を通じて、表示装置１００で表示させる画像を映像信号として前段ＬＵＴ３１へ出力することができる。映像信号としては、アナログ信号形式又はデジタル信号形式のいずれであってもよい。
【００４４】
前段ＬＵＴ３１は、例えば、入力階調が８ビットで構成され、０〜２５５の２５６階調それぞれに対応する２５６個のエントリに、例えば、１４ビットで表される出力階調（出力値）を格納してあり、ユーザにより階調特性が設定可能（例えば、ガンマ値の設定が可能）に構成してあり、所望の階調特性を実現することができる。
【００４５】
前段ＬＵＴ３１は、制御部１０の補正量算出部１２で算出した補正量（例えば、出力階調、出力値）で各入力階調に対応する出力階調（出力値）が書き換えられ、これにより、前段ＬＵＴ３１で表される階調特性（前段ガンマγ１の階調特性）の調整（キャリブレーション）をすることができる。
【００４６】
色空間変換部３２は、前段ＬＵＴ３１から出力された出力値（出力階調）に対して、例えば、Ｒ、Ｇ、Ｂ成分に対応する変換係数で構成される３×３マトリクスにより、特定の色の成分を強めたり、あるいは弱めたりすることにより、色温度や色座標の色調整（キャリブレーション）を行って、調整後の出力階調（出力値）を後段ＬＵＴ３３へ出力する。
【００４７】
後段ＬＵＴ３３は、例えば、Ｒ（赤）Ｇ（緑）Ｂ（青）それぞれに対応したＬＵＴを備え、液晶パネル４１毎に異なる階調特性を理想的なガンマ値（後段ガンマ、例えば、２．２）になるようにして滑らかな階調表現を実現するために出力階調を補正し、補正後の出力階調（補正信号）をパネル駆動部４０へ出力する。
【００４８】
なお、図１の例では、前段ＬＵＴ３１、後段ＬＵＴ３３の２つの補正テーブルを備える構成であるが、これらを１つの補正テーブルに纏めることもできる。
【００４９】
パネル駆動部４０は、ゲートドライバ、ソースドライバなどを備え、制御部１０の制御の下、後段ＬＵＴ３３から入力された信号に基づいて、液晶パネル４１を駆動する。これにより、制御部１０は、ＰＣ２００から出力された映像信号の入力階調に関連付けられた出力階調で液晶パネル４１の透過率を調整して映像を表すことができる。
【００５０】
液晶パネル４１は、一対のガラス基板が対向配置され、その間隙内に液晶物質である液晶層が形成された構造を有し、一方のガラス基板には複数の画素電極と、画素電極の夫々にドレインを接続したＴＦＴとが、他方のガラス基板には共通電極が設けてある。ＴＦＴのゲート及びソースは、夫々ゲートドライバ及びソースドライバの各出力段に順次接続されている。液晶パネル４１は一対の偏光板で挟まれ、さらにその背面にバックライト４３を配置してある。
【００５１】
光学センサ４４は、例えば、人間の目に対応する分光感度と略同一の感度を有する３つのセンサを備え、三刺激値と称されるＸ、Ｙ、Ｚの３つの値を測定することができ、測定した値を制御部１０へ出力する。なお、光学センサ４４は、刺激値直読方式のものに限定されるものではなく、分光測色方式であってもよい。光学センサ４４により液晶パネル４１の色調を測定することができる。
【００５２】
また、光学センサ４４は、内蔵型であり、適長の板状ケース（不図示）の一端に受光面を液晶パネル４１の表示面に対向するように設けてあり、板状ケースの他端は、液晶パネル４１の上側ベゼル部（不図示）に設けられた回転軸の回りに表示面に沿って約４５度回動可能に保持されている。光学センサ４４は、色調を測定する場合、ＤＣモータ（不図示）の駆動により、ベゼル部から表示面の周辺部に対向配置され、色調を測定しない場合、表示面から移動してベゼル部の内部に収納される。なお、光学センサ４４は、内蔵型に限らず外部に設置するものでもよい。例えば、表示装置１００の片隅に密着させる、またはキャビネットに取り付けるなどのタイプでもよい。
【００５３】
人感センサ４６は、表示装置１００の適宜の箇所に設けられ、表示装置１００の周囲に人（例えば、オペレータなど）がいるか否かを感知し、人がいると感知した場合、感知信号を制御部１０へ出力し、人がいない場合、不感知信号を制御部１０へ出力する。
【００５４】
判定部１３は、所定の第１条件、第２条件の成否を判定する。なお、第１条件、第２条件は、オペレータがＰＣ２００の操作部２０２を通じて設定することができる。第１条件は、オペレータが不在となる条件であり、輝度や色調の補正（キャリブレーション）の実施タイミングを示す実施条件とすることができる。また、第２条件は、オペレータが復帰する条件であり、オペレータがいないときに実施されたキャリブレーション後の測定値（補正後測定値）に基づいて色空間情報（例えば、ＩＣＣプロファイル）を生成することができる。
【００５５】
図２はオペレータの不在条件と復帰条件の一例を示す説明図である。図２に示すように、第１条件としてのオペレータ不在条件は、例えば、人感センサ４６で人の不在を感知した場合（存在を感知していない場合）、ＰＣ２００をオフした場合、表示装置１００のモニタをオフした場合、所定時間ＰＣ２００からの信号がない場合、所定の第１時点としての退社予定時刻、退室予定時刻、土曜日や日曜日などの休日・祝日の時刻等である。なお、時刻は、時間帯であってもよい。
【００５６】
また、第２条件としてのオペレータ復帰条件は、例えば、人感センサ４６で人の存在を感知した場合、ＰＣ２００をオンした場合、表示装置１００のモニタをオンした場合、ＰＣ２００からの信号がない状態が所定時間以上継続した後で信号があった場合、所定の第２時点としての出社予定時刻、入室予定時刻、月曜日などの労働日の時刻等である。なお、時刻は、時間帯であってもよい。
【００５７】
なお、図２の例では、オペレータの不在条件が人感センサ４６で人の不在を感知した場合に対応させて、オペレータの復帰条件が人感センサ４６で人の存在を感知した場合としているが、オペレータの不在条件と復帰条件は、図２に記載の中から任意に選択することができる。例えば、人感センサ４６で人の不在を感知した場合にオペレータの不在条件が成立するとし、ＰＣ２００からの信号がない状態が所定時間以上継続した後で信号があった場合にオペレータの復帰条件が成立するとしてもよい。
【００５８】
次に、本発明に係る表示システムの動作について説明する。図３はＰＣ２００の処理手順を示すフローチャートである。ＣＰＵ２０１は、操作部２０２を通じて、キャリブレーション（補正）を行う際の目標値を受付け（Ｓ２０１）、受付けた目標値を表示装置１００へ出力する（Ｓ２０２）。なお、表示装置１００は、記憶部２０に目標値２１として記憶する。
【００５９】
キャリブレーションを行う場合の目標値は、例えば、輝度、黒レベル、白色点（ゲイン、色温度や色座標）、赤、緑、青それぞれのガンマ（階調）などの項目について設定することができる。
【００６０】
ＣＰＵ２０１は、操作部２０２を通じて、オペレータ不在条件を受付け（Ｓ２０３）、オペレータ復帰条件を受付ける（Ｓ２０４）。ＣＰＵ２０１は、受付けたオペレータ不在条件及びオペレータ復帰条件を表示装置１００へ出力する（Ｓ２０５）。なお、表示装置１００は、記憶部２０にこれらの条件を記憶することができる。
【００６１】
この状態で、オペレータはＰＣ２００や表示装置１００の周囲から離れて他の場所へ移動することができる。そして、オペレータの不在が検出された場合、表示装置１００では、後述するキャリブレーションが行われ、キャリブレーション後の状態で輝度や色調の測定が行われ補正後測定値２３として記憶部２０に記憶される。
【００６２】
ＣＰＵ２０１は、オペレータ復帰条件が充足されたか否かを判定し（Ｓ２０６）、充足していない場合（Ｓ２０６でＮＯ）、ステップＳ２０６の処理を続ける。なお、オペレータ復帰条件が充足されたか否かは、ＣＰＵ２０１が、例えば、オペレータによる何らかの操作が操作部２０２で行われか否かで判定してもよく、あるいは、表示装置１００で判定した結果を取得するようにしてもよい。
【００６３】
オペレータ復帰条件が充足された場合（Ｓ２０６でＹＥＳ）、すなわち、オペレータがＰＣ２００や表示装置１００の近くに戻ってきた場合、ＣＰＵ２０１は、表示装置１００でオペレータが不在の間に記憶部２０に記憶された補正後測定値を読み出し（Ｓ２０７）、読み出した補正後測定値を用いてＩＣＣプロファイルを生成し（Ｓ２０８）、処理を終了する。
【００６４】
図４は表示装置１００の処理手順を示すフローチャートである。制御部１０は、ＰＣ２００から出力された目標値を記憶部２０に記憶し（Ｓ１０１）、ＰＣ２００から出力されたオペレータ不在条件、オペレータ復帰条件を記憶部２０に記憶する（Ｓ１０２）。
【００６５】
制御部１０は、オペレータ不在条件が充足されたか否かを判定し（Ｓ１０３）、充足していない場合（Ｓ１０３でＮＯ）、ステップＳ１０３の処理を続ける。オペレータ不在条件が充足された場合（Ｓ１０３でＹＥＳ）、制御部１０は、キャリブレーションを実施する（Ｓ１０４）。キャリブレーションは、輝度、白色点（ゲイン）、ガンマ（階調）、原色点（赤、青、緑の各色）等の全部又は一部に対して行われる。なお、キャリブレーションの処理の詳細は後述する。
【００６６】
制御部１０は、キャリブレーションによる補正量（調整結果）２２を記憶部２０に記憶し（Ｓ１０５）、補正後（キャリブレーション後）の輝度や色調を光学センサ４４を用いて測定し（Ｓ１０６）、測定した最終測定結果を補正後測定値２３として記憶部２０に記憶する（Ｓ１０７）。
【００６７】
制御部１０は、オペレータ復帰条件が充足されたか否かを判定し（Ｓ１０８）、充足していない場合（Ｓ１０８でＮＯ）、ステップＳ１０８の処理を続ける。オペレータ復帰条件が充足された場合（Ｓ１０８でＹＥＳ）、すなわち、オペレータがＰＣ２００や表示装置１００の近くに戻ってきた場合、制御部１０は、補正後測定値２３をＰＣ２００へ出力し（Ｓ１０９）、処理を終了する。なお、処理の終了時に表示装置１００の電源をオフすることができる。
【００６８】
図５はキャリブレーションの処理手順を示すフローチャートである。制御部１０は、現在値を測定する（Ｓ３０１）。ここで、現在値は、例えば、輝度、白色点（ゲイン）、ガンマ（階調）、原色点（赤、青、緑の各色）等の項目の全部又は一部であり、光学センサ４４を用いて測定することができる。すなわち、図５の処理は、各項目について個別に行われる。
【００６９】
制御部１０は、測定値と目標値の差分を差分算出部１１で算出し（Ｓ３０２）、算出した差分が所定の閾値より小さいか否かを判定する（Ｓ３０３）。差分が閾値より小さくない場合（Ｓ３０３でＮＯ）、制御部１０は、差分に基づいて補正量を算出する（Ｓ３０４）。補正量は、例えば、測定項目が輝度であれば、現在の輝度を目標値に近づけるべくバックライト駆動部４２へ出力する制御信号の調整を行うための情報である。また、補正量は、例えば、測定項目がガンマであれば、前段ＬＵＴ３１から出力する出力階調（出力値）を調整するための情報である。
【００７０】
制御部１０は、算出した補正量で補正を行ない（Ｓ３０５）、ステップＳ３０１以降の処理を続ける。差分が閾値より小さい場合（Ｓ３０３でＹＥＳ）、制御部１０は、処理を終了する。
【００７１】
上述したように、実施の形態１では、オペレータが不在となる条件を判定することにより、オペレータがいないときに補正（キャリブレーション）を実施することができるので、オペレータの存在を前提としない補正（キャリブレーション）を実施することができ、オペレータの負担を軽減することが可能となる。
【００７２】
また、補正（キャリブレーション）を続けることで、測定値と目標値との差分が閾値より小さくなった場合、補正（キャリブレーション）が終了したとして、補正後の状態で輝度や色調を測定し、測定した値を補正後測定値として記憶する。これにより、オペレータがいないときに、ＩＣＣプロファイルなどの色空間情報を生成するために必要なデータを予め取得しておくことができる。
【００７３】
また、オペレータが復帰する条件を判定することにより、オペレータが復帰するときは、オペレータがいないときに実施されたキャリブレーション後の測定値に基づいて色空間情報（例えば、ＩＣＣプロファイル）を生成することができる。
【００７４】
また、人感センサ４６で人が感知されない場合には、オペレータが不在であると判定することができ、人感センサ４６で人が感知された場合には、オペレータが復帰したと判定することができ、オペレータが不在の場合のキャリブレーションの実施やキャリブレーション後の測定値に保存を実現することができ、オペレータが復帰した場合に、キャリブレーション後のデータを用いたＩＣＣプロファイルの生成を実現することができる。
【００７５】
また、ＰＣ２００からの信号によりオペレータの不在、復帰を判定することにより、オペレータがＰＣ２００を操作していないときは、オペレータが不在であると判定することができ、オペレータがＰＣ２００を操作したときは、オペレータが復帰したと判定することができ、オペレータが不在の場合のキャリブレーションの実施やキャリブレーション後の測定値保存を実現することができ、オペレータが復帰した場合に、キャリブレーション後のデータを用いたＩＣＣプロファイルの生成を実現することができる。
【００７６】
また、所定の時点を設定することにより、退社予定時刻や退室予定時刻には、オペレータが不在であると判定することができ、出社予定時刻や入室予定時刻には、オペレータが復帰したと判定することができ、オペレータが不在の場合のキャリブレーションの実施やキャリブレーション後の測定値保存を実現することができ、オペレータが復帰した場合に、キャリブレーション後のデータを用いたＩＣＣプロファイルの生成を実現することができる。
【００７７】
また、オペレータは、ＰＣ２００でオペレータの不在条件や復帰条件を設定することにより、キャリブレーションの実施やキャリブレーション後の測定値の保存、キャリブレーション後のデータを用いたＩＣＣプロファイルの生成などの実施タイミングをオペレータの要望に合わせて決めることができ、オペレータの利便性が向上する。
【００７８】
実施の形態２
図６は実施の形態２の表示システムの構成の一例を示すブロック図である。実施の形態１との違いは、ＰＣ２００に備えていたプロファイル生成部２０５を省略し、代わりにプロファイル生成部１４を表示装置１００に設けた点と、操作部２０２と同様の機能を有するＯＳＤ（オンスクリーンディスプレイ）４７を表示装置１００に設けた点である。
【００７９】
プロファイル生成部１４は、補正後測定値２３に基づいて色空間情報を生成する。また、ＯＳＤ４７は、キャリブレーションの目標値、オペレータの不在条件を設定することができる。他の箇所は、実施の形態１と同様であるので同一符号を付して説明を省略する。
【００８０】
図７は実施の形態２の表示装置１００の処理手順を示すフローチャートである。制御部１０は、ＯＳＤ４７で目標値を受付け（Ｓ１２１）、受付けた目標値を記憶部２０に記憶する（Ｓ１２２）。制御部１０は、ＯＳＤ４７でオペレータ不在条件を受付け（Ｓ１２３）、受付けたオペレータ不在条件を記憶部２０に記憶する（Ｓ１２４）。
【００８１】
制御部１０は、オペレータ不在条件が充足されたか否かを判定し（Ｓ１２５）、充足していない場合（Ｓ１２５でＮＯ）、ステップＳ１２５の処理を続ける。オペレータ不在条件が充足された場合（Ｓ１２５でＹＥＳ）、制御部１０は、キャリブレーションを実施する（Ｓ１２６）。キャリブレーションは、輝度、白色点（ゲイン）、ガンマ（階調）、原色点（赤、青、緑の各色）等の全部又は一部に対して行われる。なお、キャリブレーションの処理は、図５の処理と同様である。
【００８２】
制御部１０は、キャリブレーションによる補正量（調整結果）２２を記憶部２０に記憶し（Ｓ１２７）、補正後（キャリブレーション後）の輝度や色調を、光学センサ４４を用いて測定し（Ｓ１２８）、測定した最終測定結果を補正後測定値２３として記憶部２０に記憶する（Ｓ１２９）。
【００８３】
制御部１０は、補正後測定値を用いてＩＣＣプロファイルを生成し（Ｓ１３０）、処理を終了する。なお、処理の終了時に表示装置１００の電源をオフすることができる。
【００８４】
上述したように、実施の形態２では、オペレータが不在となる条件を判定することにより、オペレータがいないときに補正（キャリブレーション）を実施することができるので、オペレータの存在を前提としない補正（キャリブレーション）から色空間情報の生成を実施することができ、オペレータの負担を軽減することが可能となる。
【００８５】
また、補正（キャリブレーション）を続けることで、測定値と目標値との差分が閾値より小さくなった場合、補正（キャリブレーション）が終了したとして、補正後の状態で輝度や色調を測定し、測定した値を補正後測定値として記憶する。これにより、オペレータがいないときに、ＩＣＣプロファイルなどの色空間情報を生成するために必要なデータを予め取得しておくことができる。
【００８６】
また、人感センサ４６で人が感知されない場合には、オペレータが不在であると判定することができ、オペレータが不在の場合のキャリブレーションの実施やキャリブレーション後の測定値保存を実現することができる。また、オペレータが不在のときに、キャリブレーション後のデータを用いたＩＣＣプロファイルの生成を実現することができる。
【００８７】
また、ＰＣ２００からの信号によりオペレータの不在を判定することにより、オペレータがＰＣ２００を操作していないときは、オペレータが不在であると判定することができ、オペレータが不在の場合のキャリブレーションの実施やキャリブレーション後の測定値保存を実現することができ、また、キャリブレーション後のデータを用いたＩＣＣプロファイルの生成を実現することができる。
【００８８】
また、所定の時点を設定することにより、退社予定時刻や退室予定時刻には、オペレータが不在であると判定することができ、オペレータが不在の場合のキャリブレーションの実施やキャリブレーション後の測定値保存を実現することができ、また、キャリブレーション後のデータを用いたＩＣＣプロファイルの生成を実現することができる。
【００８９】
また、オペレータは、表示装置１００でオペレータの不在条件を設定することにより、キャリブレーションの実施やキャリブレーション後の測定値の保存、キャリブレーション後のデータを用いたＩＣＣプロファイルの生成などの実施タイミングをオペレータの要望に合わせて決めることができ、オペレータの利便性が向上する。
【００９０】
実施の形態３
図８は実施の形態３の表示システムの構成の一例を示すブロック図である。実施の形態１との違いは、操作部２０２と同様の機能を有するＯＳＤ（オンスクリーンディスプレイ）４７を表示装置１００に設けた点である。
【００９１】
ＯＳＤ４７は、キャリブレーションの目標値、オペレータの不在条件や復帰条件を設定することができる。他の箇所は、実施の形態１と同様であるので同一符号を付して説明を省略する。
【００９２】
図９は実施の形態３の表示装置１００の処理手順を示すフローチャートである。制御部１０は、ＯＳＤ４７で目標値を受付け（Ｓ１５１）、受付けた目標値を記憶部２０に記憶する（Ｓ１５２）。制御部１０は、ＯＳＤ４７でオペレータ不在条件、オペレータ復帰条件を受付け（Ｓ１５３）、受付けたオペレータ不在条件、オペレータ復帰条件を記憶部２０に記憶する（Ｓ１５４）。
【００９３】
制御部１０は、オペレータ不在条件が充足されたか否かを判定し（Ｓ１５５）、充足していない場合（Ｓ１５５でＮＯ）、ステップＳ１５５の処理を続ける。オペレータ不在条件が充足された場合（Ｓ１５５でＹＥＳ）、制御部１０は、キャリブレーションを実施する（Ｓ１５６）。キャリブレーションは、輝度、白色点（ゲイン）、ガンマ（階調）、原色点（赤、青、緑の各色）等の全部又は一部に対して行われる。なお、キャリブレーションの処理は、図５の処理と同様である。
【００９４】
制御部１０は、キャリブレーションによる補正量（調整結果）２２を記憶部２０に記憶し（Ｓ１５７）、補正後（キャリブレーション後）の輝度や色調を、光学センサ４４を用いて測定し（Ｓ１５８）、測定した最終測定結果を補正後測定値２３として記憶部２０に記憶する（Ｓ１５９）。
【００９５】
制御部１０は、オペレータ復帰条件が充足されたか否かを判定し（Ｓ１６０）、充足していない場合（Ｓ１６０でＮＯ）、ステップＳ１６０の処理を続ける。オペレータ復帰条件が充足された場合（Ｓ１６０でＹＥＳ）、すなわち、オペレータがＰＣ２００や表示装置１００の近くに戻ってきた場合、制御部１０は、補正後測定値２３をＰＣ２００へ出力し（Ｓ１６１）、処理を終了する。なお、処理の終了時に表示装置１００の電源をオフすることができる。
【００９６】
図１０は実施の形態３のＰＣ２００の処理手順を示すフローチャートである。ＣＰＵ２０１は、オペレータ復帰条件が充足されたか否かを判定し（Ｓ２２１）、充足していない場合（Ｓ２２１でＮＯ）、ステップＳ２２１の処理を続ける。なお、オペレータ復帰条件が充足されたか否かは、ＣＰＵ２０１が、例えば、オペレータによる何らかの操作が操作部２０２で行われか否かで判定してもよく、あるいは、表示装置１００で判定した結果を取得するようにしてもよい。
【００９７】
オペレータ復帰条件が充足された場合（Ｓ２２１でＹＥＳ）、すなわち、オペレータがＰＣ２００や表示装置１００の近くに戻ってきた場合、ＣＰＵ２０１は、表示装置１００でオペレータが不在の間に記憶部２０に記憶された補正後測定値２３を表示装置１００の記憶部２０から読み出し（Ｓ２２２）、読み出した補正後測定値２３を用いてＩＣＣプロファイルを生成し（Ｓ２２３）、処理を終了する。
【００９８】
上述したように、実施の形態３では、オペレータが不在となる条件を判定することにより、オペレータがいないときに補正（キャリブレーション）を実施することができるので、オペレータの存在を前提としない補正（キャリブレーション）を実施することができ、オペレータの負担を軽減することが可能となる。
【００９９】
また、補正（キャリブレーション）を続けることで、測定値と目標値との差分が閾値より小さくなった場合、補正（キャリブレーション）が終了したとして、補正後の状態で輝度や色調を測定し、測定した値を補正後測定値として記憶する。これにより、オペレータがいないときに、ＩＣＣプロファイルなどの色空間情報を生成するために必要なデータを予め取得しておくことができる。
【０１００】
また、オペレータが復帰する条件を判定することにより、オペレータが復帰するときは、オペレータがいないときに実施されたキャリブレーション後の測定値に基づいて色空間情報（例えば、ＩＣＣプロファイル）を生成することができる。
【０１０１】
また、人感センサ４６で人が感知されない場合には、オペレータが不在であると判定することができ、人感センサ４６で人が感知された場合には、オペレータが復帰したと判定することができ、オペレータが不在の場合のキャリブレーションの実施やキャリブレーション後の測定値保存を実現することができ、オペレータが復帰した場合に、キャリブレーション後のデータを用いたＩＣＣプロファイルの生成を実現することができる。
【０１０２】
また、ＰＣ２００からの信号によりオペレータの不在、復帰を判定することにより、オペレータがＰＣ２００を操作していないときは、オペレータが不在であると判定することができ、オペレータがＰＣ２００を操作したときは、オペレータが復帰したと判定することができ、オペレータが不在の場合のキャリブレーションの実施やキャリブレーション後の測定値保存を実現することができ、オペレータが復帰した場合に、キャリブレーション後のデータを用いたＩＣＣプロファイルの生成を実現することができる。
【０１０３】
また、所定の時点を設定することにより、退社予定時刻や退室予定時刻には、オペレータが不在であると判定することができ、出社予定時刻や入室予定時刻には、オペレータが復帰したと判定することができ、オペレータが不在の場合のキャリブレーションの実施やキャリブレーション後の測定値保存を実現することができ、オペレータが復帰した場合に、キャリブレーション後のデータを用いたＩＣＣプロファイルの生成を実現することができる。
【０１０４】
また、オペレータは、表示装置１００でオペレータの不在条件や復帰条件を設定することにより、キャリブレーションの実施やキャリブレーション後の測定値の保存、キャリブレーション後のデータを用いたＩＣＣプロファイルの生成などの実施タイミングをオペレータの要望に合わせて決めることができ、オペレータの利便性が向上する。
【０１０５】
実施の形態４
図１１は実施の形態４の表示システムの構成の一例を示すブロック図である。上述の実施の形態１〜３との違いは、目標値算出部１５を備える点である。また、記憶部２０にＩＣＣプロファイル２４を記憶している。なお、ＩＣＣプロファイル２４を記憶部２０に記憶しておくことは必須ではなく、ＰＣ２００などの外部の装置から取得することもできる。ＩＣＣプロファイル２４は、表示装置１００のためのものであってもよく、ＰＣ２００に接続する図示しないプリンタなどのためのものであってもよい。
【０１０６】
目標値算出部１５は、プロファイル生成部１４で生成されたＩＣＣプロファイル２４、あるいは、ＰＣ２００などの他の外部の装置で生成されたＩＣＣプロファイルから目標値を算出する。目標値算出部１５で算出した目標値を目標値２１として記憶部２０に記憶することもできる。
【０１０７】
図１２はＩＣＣプロファイル２４の一例を示す説明図である。ＩＣＣプロファイル２４は、ヘッダ情報、タグ情報（タグテーブル）などを含んでいる。図１２の例では、タグテーブルには、タグ名、オフセット、サイズなどの情報がある。ｒＸＹＺ、ｇＸＹＺ、ｂＸＹＺは、それぞれ赤のＸＹＺ値、緑のＸＹＺ値、青のＸＹＺ値であり、これらのタグから、Ｒ（ＸＹＺ）、Ｇ（ＸＹＺ）、Ｂ（ＸＹＺ）、色座標値などの目標値を算出することができる。
【０１０８】
また、ｒＴＲＣ、ｇＴＲＣ、ｂＴＲＣは、それぞれ赤のトーンカーブ、緑のトーンカーブ、青のトーンカーブであり、ガンマの目標値を算出することができる。
【０１０９】
また、ｗｔｐｔは、白色点のＸＹＺ値であり、白色点の目標値を算出することができる。
【０１１０】
次に、目標値の算出の方法について説明する。以下では、規格化された三刺激値を算出する例について説明する。図１２に示すように、ＩＣＣプロファイル２４の中に、ｃｈａｄタグが存在する場合、ＩＣＣプロファイル２４は、ＰＣＳ（Profile Connection Space）における白色点をＤ５０としている。すなわち、測定値を、測定した白を白色点としたときの規格化された三刺激値からＤ５０を白色点としたときの規格化された三刺激値に変換して、ＩＣＣプロファイル２４に記憶している。
【０１１１】
図１３はＤ５０を白色点としたときの規格化された三刺激値の一例を示す説明図である。図１３に示すように、ＸＹＺ値がＩＣＣプロファイル２４内に格納されている。
【０１１２】
実際にプロファイルを活用する場合には、実際の三刺激値を用いる必要があり、実際の三刺激値を求める際に利用するのが、ｃｈａｄタグの３×３行列である。
【０１１３】
図１４はｃｈａｄタグに示されている行列の一例を示す説明図である。図１４（ａ）はｃｈａｄタグの行列であり、図１４（ｂ）はｃｈａｄタグの逆行列である。ｃｈａｄタグに示されている行列は、測定白のもとでの三刺激値とＤ５０を白色点としたときの三刺激値とを結びつける働きをするものである。すなわち、ｃｈａｄタグの行列は、実測値からＤ５０を白色点としたときの三刺激値への変換を表わし、ｃｈａｄタグの逆行列は、Ｄ５０を白色点としたときの三刺激値から実測値への変換を表わす。従って、ＩＣＣプロファイル２４内のｒＸＹＺなどの値から、実際の色度値を求めるには、図１３で示す三刺激値にｃｈａｄタグの逆行列を作用させればよい。
【０１１４】
図１５はｗｔｐｔタグにある三刺激値を白色点とする規格化された三刺激値の一例を示す説明図である。図１５の例は、図１３の例に対応するものである。
【０１１５】
図１６は目標値算出の処理手順を示すフローチャートである。制御部１０は、目標値を選定し（Ｓ１７１）、選定した目標値に対応するＩＣＣプロファイル２４のタグ情報を取得する（Ｓ１７２）。制御部１０は、取得したタグ情報を用いて目標値を算出する（Ｓ１７３）。
【０１１６】
制御部１０は、他に算出すべき目標値があるか否かを判定し（Ｓ１７４）、目標値がある場合（Ｓ１７４でＹＥＳ）、ステップＳ１７２以降の処理を続け、目標値がない場合（Ｓ１７４でＮＯ）、処理を終了する。
【０１１７】
上述のように、ＩＣＣプロファイル２４のような色空間情報から所定の目標値を算出することにより、既存の色空間情報により目標値を得ることができるので、オペレータが目標値を設定するための入力作業を行う必要がない。また、他の表示装置やシステムの色をエミュレーションして再現することが可能になる。また、色空間情報により得られた目標値に基づいて、常に表示装置（表示部）の状態を色空間情報に応じた状態に維持することができる。
【０１１８】
以上説明したように、本発明によれば、オペレータの存在を前提としないキャリブレーションから色空間情報の生成を実施することができ、キャリブレーション作業が、オペレータの他の作業の阻害要因とならず、オペレータの負担を軽減することが可能となる。
【０１１９】
また、本発明によれば、キャリブレーションを実施した後の最終測定結果が表示装置１００に記憶されているので、オペレータは、いつでもＩＣＣプロファイルを生成することができ、ＩＣＣプロファイルを生成するためにキャリブレーションの実施や測定を再度することが不要となる。
【０１２０】
また、本発明によれば、キャリブレーションを実施するためだけに予めモニタ（表示装置）の電源をオンにしてエージングを行っておく必要がないので、システム全体として処理時間の短縮や省電力化を図ることができる。
【０１２１】
また、本発明によれば、表示装置１００だけでキャリブレーションを実施することができ、ＰＣ２００を使用する必要がないので、システム全体としてキャリブレーション時の消費電力を少なくすることができる。また、キャリブレーション終了後にモニタ（表示装置）をオフすることにより、システム全体で省電力化を図ることができる。
【０１２２】
また、本発明によれば、キャリブレーションを行うタイミングをオペレータが自由に設定することができ、オペレータの利便性が向上する。
【０１２３】
また、本発明によれば、既存の色空間情報により目標値を得ることができるので、オペレータが目標値を設定するための入力作業を行う必要がない。また、他の表示装置やシステムの色をエミュレーションして再現することが可能になる。また、色空間情報により得られた目標値に基づいて、常に表示装置（表示部）の状態を色空間情報に応じた状態に維持することができる。
【０１２４】
上述の実施の形態では、液晶パネル等の表示部固有の階調特性を補正するための後段ルックアップ・テーブルを用いる構成であったが、表示部自体の階調特性のばらつきが少なく階調特性が理想なものであれば、後段ルックアップ・テーブルを使用せず、前段ルックアップ・テーブルのみを用いる構成であってもよい。
【０１２５】
上述の実施の形態では、表示装置の表示部として液晶パネルを用いた構成であるが、表示部は液晶パネルに限定されるものではなく、ＣＲＴ、ＰＤＰなど他の表示デバイスにおいても、本発明を適用することができる。
【０１２６】
上述の実施の形態では、入力階調が２５６階調の場合について説明したが、階調数は、これに限定されるものではなく、他の階調数を用いることもできる。また、前段ＬＵＴ、後段ＬＵＴのビット数も適宜所要の値のものを用いることができる。
【０１２７】
上述の実施の形態において、制御部１０は、専用のハードウェアで構成することもでき、あるいは、ＣＰＵ、ＲＡＭ、ＲＯＭ等で構成し、図４、図５、図７、図９で示した処理手順を記述したコンピュータプログラムをＣＰＵで実行させることにより、ハードウェアの場合と同様の機能を実現することができる。また、上述のコンピュータプログラムを、コンピュータで読み取りが可能な記録媒体に記録しておくこともできる。
【符号の説明】
【０１２８】
１００  表示装置
１０  制御部
１１  差分算出部
１２  補正量算出部
１３  判定部
１４、２０５  プロファイル生成部
１５  目標値算出部
２０  記憶部
２４  ＩＣＣプロファイル
３０  補正部
３１  前段ＬＵＴ
３２  色空間変換部
３３  後段ＬＵＴ
４０  パネル駆動部
４１  液晶パネル
４２  バックライト駆動部
４３  バックライト
４４  光学センサ
４６  人感センサ
４７  ＯＳＤ
２００  ＰＣ
２０１  ＣＰＵ
２０２  操作部
２０３  記憶部
２０４  インタフェース部
【図１】
2010250060.tif 000003
【図２】
2010250060.tif 000004
【図３】
2010250060.tif 000005
【図４】
2010250060.tif 000006
【図５】
2010250060.tif 000007
【図６】
2010250060.tif 000008
【図７】
2010250060.tif 000009
【図８】
2010250060.tif 000010
【図９】
2010250060.tif 000011
【図１０】
2010250060.tif 000012
【図１１】
2010250060.tif 000013
【図１２】
2010250060.tif 000014
【図１３】
2010250060.tif 000015
【図１４】
2010250060.tif 000016
【図１５】
2010250060.tif 000017
【図１６】
2010250060.tif 000018
【手続補正書】
【提出日】平成22年8月11日(2010.8.11)
【手続補正１】
【補正対象書類名】明細書
【補正対象項目名】０００９
【補正方法】変更
【補正の内容】
【０００９】
第１発明に係る表示装置は、表示部と、該表示部の輝度又は色調を補正する補正手段とを備える表示装置において、前記表示部の輝度又は色調を測定する測定手段と、該測定手段で測定した測定値と所定の目標値との差分を算出する差分算出手段と、該差分算出手段で算出した差分に基づいて前記表示部の輝度又は色調を補正するための補正量を算出する補正量算出手段と、オペレータが不在となる条件の成否を判定する第１判定手段と、オペレータが復帰する条件の成否を判定する第２判定手段とを備え、前記補正手段は、前記第１判定手段でオペレータが不在となる条件が成立すると判定した場合、前記補正量算出手段で算出した補正量を用いて輝度又は色調を補正するようにしてあり、前記補正手段で補正した後に前記測定手段で測定した輝度又は色調の補正後測定値を記憶する記憶手段と、前記第２判定手段でオペレータが復帰する条件が成立したと判定した場合、前記記憶手段に記憶した補正後測定値を、自身に対して所定のデータを出力する出力装置へ出力する出力手段とをさらに備えることを特徴とする。
【手続補正２】
【補正対象書類名】明細書
【補正対象項目名】００１０
【補正方法】変更
【補正の内容】
【００１０】
第２発明に係る表示装置は、第１発明において、前記第１判定手段でオペレータが不在となる条件が成立すると判定した場合、前記記憶手段に記憶した補正後測定値に基づいて色の再現性を実現するカラーマネジメントに関する色空間情報を生成する生成手段を備えることを特徴とする。
【手続補正３】
【補正対象書類名】明細書
【補正対象項目名】００１１
【補正方法】変更
【補正の内容】
【００１１】
第３発明に係る表示装置は、第２発明において、色の再現性を実現するカラーマネジメントに関する任意の色空間情報から前記目標値を算出する目標値算出手段を備えることを特徴とする。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
第４発明に係る表示装置は、第２発明又は第３発明において、前記出力手段は、前記第２判定手段でオペレータが復帰する条件が成立すると判定した場合、前記生成手段で生成した色空間情報を出力するように構成してあることを特徴とする。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
第５発明に係る表示装置は、第１発明乃至第４発明のいずれか１つにおいて、人感センサを備え、前記第１判定手段は、前記人感センサで人が感知されない場合、オペレータが不在となる条件が成立すると判定し、前記第２判定手段は、前記人感センサで人が感知された場合、オペレータが復帰する条件が成立すると判定するように構成してあることを特徴とする。
【手続補正８】
【補正対象書類名】明細書
【補正対象項目名】００１６
【補正方法】変更
【補正の内容】
【００１６】
第６発明に係る表示装置は、第１発明乃至第４発明のいずれか１つにおいて、前記出力装置からの所定信号を取得する取得手段を備え、前記第１判定手段は、前記取得手段で所定信号を取得しない場合、オペレータが不在となる条件が成立すると判定し、前記第２判定手段は、前記取得手段で所定信号を取得した場合、オペレータが復帰する条件が成立すると判定するように構成してあることを特徴とする。
【手続補正９】
【補正対象書類名】明細書
【補正対象項目名】００１７
【補正方法】変更
【補正の内容】
【００１７】
第７発明に係る表示装置は、第１発明乃至第４発明のいずれか１つにおいて、計時手段を備え、前記第１判定手段は、所定の第１時点の場合、オペレータが不在となる条件が成立すると判定し、前記第２判定手段は、所定の第２時点の場合、オペレータが復帰する条件が成立すると判定するように構成してあることを特徴とする。
【手続補正１０】
【補正対象書類名】明細書
【補正対象項目名】００１８
【補正方法】変更
【補正の内容】
【００１８】
第８発明に係る表示システムは、前述の発明のいずれか１つに係る表示装置と、該表示装置へ所定のデータを出力する出力装置とを備える表示システムにおいて、前記表示装置は、補正後測定値を前記出力装置へ出力する出力手段を備え、前記出力装置は、前記補正後測定値に基づいて色の再現性を実現するカラーマネジメントに関する色空間情報を生成する生成手段を備えることを特徴とする。
【手続補正１１】
【補正対象書類名】明細書
【補正対象項目名】００１９
【補正方法】変更
【補正の内容】
【００１９】
第９発明に係るコンピュータプログラムは、表示部を備える表示装置の色空間情報を生成する生成手段として機能させるためのコンピュータプログラムであって、コンピュータを、オペレータが不在となる条件の成否を判定する第１判定手段と、オペレータが不在となる条件が成立すると判定した場合、前記表示部の輝度又は色調を補正する補正手段と、オペレータが不在となる条件が成立すると判定した場合、前記補正手段で補正した後の前記表示部の輝度又は色調の補正後測定値に基づいて色の再現性を実現するカラーマネジメントに関する色空間情報を生成する生成手段と、オペレータが復帰する条件の成否を判定する第２判定手段と、オペレータが復帰する条件が成立すると判定した場合、前記補正手段で補正した後に測定した輝度又は色調の補正後測定値、又は前記生成手段で生成した色空間情報を出力する出力手段として機能させることを特徴とする。
【手続補正１２】
【補正対象書類名】明細書
【補正対象項目名】００２０
【補正方法】変更
【補正の内容】
【００２０】
第１０発明に係るコンピュータプログラムは、第９発明において、コンピュータを、色の再現性を実現するカラーマネジメントに関する任意の色空間情報から所定の目標値を算出する目標値算出手段として機能させることを特徴とする。
【手続補正１３】
【補正対象書類名】明細書
【補正対象項目名】００２１
【補正方法】変更
【補正の内容】
【００２１】
第１１発明に係るコンピュータでの読み取りが可能な記録媒体は、前述の発明に係るコンピュータプログラムを記録してあることを特徴とする。
【手続補正１４】
【補正対象書類名】明細書
【補正対象項目名】００２２
【補正方法】変更
【補正の内容】
【００２２】
第１２発明に係る補正方法は、表示部を備える表示装置の該表示部の輝度又は色調を補正する補正方法において、オペレータが不在となる条件の成否を第１判定手段により判定し、オペレータが不在となる条件が成立すると判定された場合、前記表示部の輝度又は色調を測定手段により測定し、測定した測定値と所定の目標値との差分を差分算出手段により算出し、算出した差分に基づいて前記表示部の輝度又は色調を補正するための補正量を補正量算出手段により算出し、算出した補正量を用いて輝度又は色調を補正手段で補正し、前記補正手段で補正した後に前記測定手段で測定した輝度又は色調の補正後測定値を記憶手段に記憶し、オペレータが復帰する条件の成否を第２判定手段により判定し、オペレータが復帰する条件が成立すると判定した場合、前記記憶手段に記憶した補正後測定値を、前記表示装置に対して所定のデータを出力する出力装置へ出力することを特徴とする。
【手続補正１５】
【補正対象書類名】明細書
【補正対象項目名】００２３
【補正方法】変更
【補正の内容】
【００２３】
第１３発明に係る補正方法は、第１２発明において、前記第１判定手段でオペレータが不在となる条件が成立すると判定した場合、前記記憶手段に記憶した補正後測定値に基づいて色の再現性を実現するカラーマネジメントに関する色空間情報を生成手段により生成することを特徴とする。
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】変更
【補正の内容】
【００２５】
第１発明及び第１２発明にあっては、オペレータが不在となる条件の成否を第１判定手段により判定する。オペレータが不在となる条件は、輝度や色調の補正（キャリブレーション）の実施タイミングを示す実施条件とすることができる。オペレータが不在となる条件が成立すると判定された場合、表示部（モニタ）の輝度又は色調を測定手段により測定する。色調は、例えば、白色点、黒レベル、原色点、色温度、ガンマ（階調）など色の再現性にとって重要な特性のことである。輝度や色調の測定値と所定の目標値との差分を差分算出手段により算出し、算出した差分に基づいて表示部の輝度又は色調を補正するための補正量を補正量算出手段により算出し、算出した補正量を用いて輝度又は色調を補正手段で補正する。補正した後に、測定手段で測定した輝度又は色調の補正後測定値を記憶手段に記憶する。オペレータが復帰する条件の成否を第２判定手段により判定し、オペレータが復帰する条件が成立すると判定した場合、記憶手段に記憶した補正後測定値を、自身に対して所定のデータを出力する出力装置へ出力する。これにより、オペレータがいないときに輝度又は色調の補正（キャリブレーション）を実施し、補正した後に測定した輝度又は色調の補正後測定値を記憶することができるので、オペレータの存在を前提としない補正（キャリブレーション）の実施及び補正後に測定した補正後測定値を取得することができ、オペレータの負担を軽減することが可能となる。そして、オペレータが復帰する条件が成立すると判定した場合に、補正後に測定した補正後測定値を出力装置へ出力するので、オペレータは、補正（キャリブレーション）後の測定を自ら実施する必要がなく、復帰した後直ちに補正後測定値を使用することができ、オペレータがいないときに、ＩＣＣプロファイルなどの色空間情報を生成するために必要なデータを予め取得しておくことができる。
【手続補正１８】
【補正対象書類名】明細書
【補正対象項目名】００２６
【補正方法】変更
【補正の内容】
【００２６】
第２発明、第８発明、第９発明及び第１３発明にあっては、オペレータが不在となる条件が成立すると判定した場合、補正後測定値に基づいて色の再現性を実現するカラーマネジメントに関する色空間情報を生成手段により生成する。色空間情報は、モニタなどの個々のデバイスが持つ色空間の情報であり、例えば、ＩＣＣ（International Color Consortium）規格のＩＣＣプロファイルである。これにより、オペレータが復帰するときは、オペレータがいないときに実施されたキャリブレーション後の測定値に基づいて色空間情報を生成することができる。
【手続補正１９】
【補正対象書類名】明細書
【補正対象項目名】００２７
【補正方法】変更
【補正の内容】
【００２７】
第３発明及び第１０発明にあっては、色空間情報から所定の目標値を算出する。所定の目標値は、輝度や色調などであり、色調は、例えば、白色点、黒レベル、原色点、色温度、ガンマ（階調）などの色の再現性にとって重要な特性である。色空間情報は、予め生成したものでもよく、既存の色空間情報により目標値を得ることができるので、オペレータが目標値を設定するための入力作業を行う必要がない。また、他の表示装置やシステムの色をエミュレーションして再現することが可能になる。また、色空間情報により得られた目標値に基づいて、常に表示装置（表示部）の状態を色空間情報に応じた状態に維持することができる。
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】変更
【補正の内容】
【００２９】
第４発明にあっては、オペレータが復帰する条件が成立すると判定した場合、生成した色空間情報を出力装置へ出力する。これにより、ＩＣＣプロファイルなどの色空間情報を外部の装置やシステムで取得することができる。
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】変更
【補正の内容】
【００３１】
第５発明にあっては、人感センサを備える。第１判定手段は、人感センサで人が感知されない場合、オペレータが不在となる条件が成立すると判定し、第２判定手段は、人感センサで人が感知された場合、オペレータが復帰する条件が成立すると判定する。これにより、人が感知されない場合には、オペレータが不在であると判定することができ、人が感知された場合には、オペレータが復帰したと判定することができ、オペレータが不在の場合のキャリブレーションの実施やキャリブレーション後の測定値の保存を実現することができ、オペレータが復帰した場合に、キャリブレーション後のデータを用いたＩＣＣプロファイルの生成を実現することができる。
【手続補正２４】
【補正対象書類名】明細書
【補正対象項目名】００３２
【補正方法】変更
【補正の内容】
【００３２】
第６発明にあっては、出力装置（例えば、パーソナルコンピュータなど）からの所定信号を取得する取得手段を備える。所定信号は、例えば、パーソナルコンピュータが動作していることを示す信号である。第１判定手段は、所定信号を取得しない場合、オペレータが不在となる条件が成立すると判定し、第２判定手段は、所定信号を取得した場合、オペレータが復帰する条件が成立すると判定する。これにより、オペレータがパーソナルコンピュータを操作していないときは、オペレータが不在であると判定することができ、オペレータがパーソナルコンピュータを操作したときは、オペレータが復帰したと判定することができ、オペレータが不在の場合のキャリブレーションの実施やキャリブレーション後の測定値の保存を実現することができ、オペレータが復帰した場合に、キャリブレーション後のデータを用いたＩＣＣプロファイルの生成を実現することができる。
【手続補正２５】
【補正対象書類名】明細書
【補正対象項目名】００３３
【補正方法】変更
【補正の内容】
【００３３】
第７発明にあっては、計時手段を備える。そして、第１判定手段は、所定の第１時点（例えば、退社予定時刻や退室予定時刻など）の場合、オペレータが不在となる条件が成立すると判定し、第２判定手段は、所定の第２時点（出社予定時刻や入室予定時刻など）の場合、オペレータが復帰する条件が成立すると判定する。これにより、退社予定時刻や退室予定時刻には、オペレータが不在であると判定することができ、出社予定時刻や入室予定時刻には、オペレータが復帰したと判定することができ、オペレータが不在の場合のキャリブレーションの実施やキャリブレーション後の測定値の保存を実現することができ、オペレータが復帰した場合に、キャリブレーション後のデータを用いたＩＣＣプロファイルの生成を実現することができる。
【手続補正２６】
【補正対象書類名】明細書
【補正対象項目名】００３４
【補正方法】変更
【補正の内容】
【００３４】
第１１発明にあっては、コンピュータでの読み取りが可能な記録媒体を提供することができる。
【手続補正２７】
【補正対象書類名】特許請求の範囲
【補正対象項目名】全文
【補正方法】変更
【補正の内容】
【特許請求の範囲】
【請求項１】
表示部と、該表示部の輝度又は色調を補正する補正手段とを備える表示装置において、
前記表示部の輝度又は色調を測定する測定手段と、
該測定手段で測定した測定値と所定の目標値との差分を算出する差分算出手段と、
該差分算出手段で算出した差分に基づいて前記表示部の輝度又は色調を補正するための補正量を算出する補正量算出手段と、
オペレータが不在となる条件の成否を判定する第１判定手段と、
オペレータが復帰する条件の成否を判定する第２判定手段と
を備え、
前記補正手段は、
前記第１判定手段でオペレータが不在となる条件が成立すると判定した場合、前記補正量算出手段で算出した補正量を用いて輝度又は色調を補正するようにしてあり、
前記補正手段で補正した後に前記測定手段で測定した輝度又は色調の補正後測定値を記憶する記憶手段と、
前記第２判定手段でオペレータが復帰する条件が成立すると判定した場合、前記記憶手段に記憶した補正後測定値を、自身に対して所定のデータを出力する出力装置へ出力する出力手段と
をさらに備えることを特徴とする表示装置。
【請求項２】
前記第１判定手段でオペレータが不在となる条件が成立すると判定した場合、前記記憶手段に記憶した補正後測定値に基づいて色の再現性を実現するカラーマネジメントに関する色空間情報を生成する生成手段を備えることを特徴とする請求項１に記載の表示装置。
【請求項３】
色の再現性を実現するカラーマネジメントに関する任意の色空間情報から前記目標値を算出する目標値算出手段を備えることを特徴とする請求項２に記載の表示装置。
【請求項４】
前記出力手段は、
前記第２判定手段でオペレータが復帰する条件が成立すると判定した場合、前記生成手段で生成した色空間情報を出力するように構成してあることを特徴とする請求項２又は請求項３に記載の表示装置。
【請求項５】
人感センサを備え、
前記第１判定手段は、
前記人感センサで人が感知されない場合、オペレータが不在となる条件が成立すると判定し、
前記第２判定手段は、
前記人感センサで人が感知された場合、オペレータが復帰する条件が成立すると判定するように構成してあることを特徴とする請求項１乃至請求項４のいずれか１項に記載の表示装置。
【請求項６】
前記出力装置からの所定信号を取得する取得手段を備え、
前記第１判定手段は、
前記取得手段で所定信号を取得しない場合、オペレータが不在となる条件が成立すると判定し、
前記第２判定手段は、
前記取得手段で所定信号を取得した場合、オペレータが復帰する条件が成立すると判定するように構成してあることを特徴とする請求項１乃至請求項４のいずれか１項に記載の表示装置。
【請求項７】
計時手段を備え、
前記第１判定手段は、
所定の第１時点の場合、オペレータが不在となる条件が成立すると判定し、
前記第２判定手段は、
所定の第２時点の場合、オペレータが復帰する条件が成立すると判定するように構成してあることを特徴とする請求項１乃至請求項４のいずれか１項に記載の表示装置。
【請求項８】
請求項１乃至請求項７のいずれか１項に記載の表示装置と、該表示装置へ所定のデータを出力する出力装置とを備える表示システムにおいて、
前記表示装置は、
補正後測定値を前記出力装置へ出力する出力手段を備え、
前記出力装置は、
前記補正後測定値に基づいて色の再現性を実現するカラーマネジメントに関する色空間情報を生成する生成手段を備えることを特徴とする表示システム。
【請求項９】
表示部を備える表示装置の色空間情報を生成する生成手段として機能させるためのコンピュータプログラムであって、
コンピュータを、
オペレータが不在となる条件の成否を判定する第１判定手段と、
オペレータが不在となる条件が成立すると判定した場合、前記表示部の輝度又は色調を補正する補正手段と、
オペレータが不在となる条件が成立すると判定した場合、前記補正手段で補正した後の前記表示部の輝度又は色調の補正後測定値に基づいて色の再現性を実現するカラーマネジメントに関する色空間情報を生成する生成手段と、
オペレータが復帰する条件の成否を判定する第２判定手段と、
オペレータが復帰する条件が成立すると判定した場合、前記補正手段で補正した後に測定した輝度又は色調の補正後測定値、又は前記生成手段で生成した色空間情報を出力する出力手段と
して機能させることを特徴とするコンピュータプログラム。
【請求項１０】
コンピュータを、
色の再現性を実現するカラーマネジメントに関する任意の色空間情報から所定の目標値を算出する目標値算出手段として機能させることを特徴とする請求項９に記載のコンピュータプログラム。
【請求項１１】
請求項９又は請求項１０に記載のコンピュータプログラムを記録してあることを特徴とするコンピュータでの読み取りが可能な記録媒体。
【請求項１２】
表示部を備える表示装置の該表示部の輝度又は色調を補正する補正方法において、
オペレータが不在となる条件の成否を第１判定手段により判定し、
オペレータが不在となる条件が成立すると判定された場合、前記表示部の輝度又は色調を測定手段により測定し、
測定した測定値と所定の目標値との差分を差分算出手段により算出し、
算出した差分に基づいて前記表示部の輝度又は色調を補正するための補正量を補正量算出手段により算出し、
算出した補正量を用いて輝度又は色調を補正手段で補正し、
前記補正手段で補正した後に前記測定手段で測定した輝度又は色調の補正後測定値を記憶手段に記憶し、
オペレータが復帰する条件の成否を第２判定手段により判定し、
オペレータが復帰する条件が成立すると判定した場合、前記記憶手段に記憶した補正後測定値を、前記表示装置に対して所定のデータを出力する出力装置へ出力することを特徴とする補正方法。
【請求項１３】
前記第１判定手段でオペレータが不在となる条件が成立すると判定した場合、前記記憶手段に記憶した補正後測定値に基づいて色の再現性を実現するカラーマネジメントに関する色空間情報を生成手段により生成することを特徴とする請求項１２に記載の補正方法。